(57)【特許請求の範囲】
【請求項１】
投入された硬貨を１枚ずつ繰り出す硬貨繰り出し部と、該硬貨繰り出し部により繰り出された硬貨の金種の認識及び金種が認識された硬貨の計数を行う硬貨認識部と、該硬貨認識部で計数された硬貨を金種別に一時保留する金種別一時保留部と、硬貨を金種別に収納する金種別出金ホッパと、前記金種別出金ホッパから繰り出された硬貨を収納する硬貨出金箱と、硬貨を金種別に集積可能で装置外に引き出し可能に設けられ前記硬貨出金箱とは別に設置された硬貨返却箱を備え、
計数処理の際は、前記金種別一時保留部に一時保留された硬貨を前記硬貨返却箱に集積させ、
入金処理の際は、前記金種別一時保留部に一時保留された硬貨を前記金種別出金ホッパに収納することを特徴とする硬貨処理装置。
【請求項２】
請求項１に記載の硬貨処理装置において、
前記一時保留部は、周囲４面を囲うフレーム内を金種別に仕切ることにより直線上に並んだ構造に形成され、その底部を成すガイドを不動とし、前記フレームを前記ガイドに対して左右方向の一方へ移動させることにより硬貨を前記硬貨返却箱に落下させ、他方へ移動させることにより硬貨を前記金種別出金ホッパに落下させることを特徴とする硬貨処理装置。
【請求項３】
請求項１または請求項２に記載の硬貨処理装置において、
前記硬貨返却箱は、硬貨を金種別に集積可能としたことを特徴とする硬貨処理装置。
【請求項４】
請求項１または請求項２に記載の硬貨処理装置において、
前記硬貨返却箱は、後ろから手前に向かって下方に傾斜したスロープを有し、前部には取り出し可能な一括返却トレイが配置されていて、前記スロープにより各金種の硬貨が前記一括返却トレイ内に集積するようにしたことを特徴とする硬貨処理装置。
【請求項５】
硬貨を金種別に収納する金種別出金ホッパと、該金種別出金ホッパから繰り出された硬貨を金種別に一時保留する回収一時保留部と、前記金種別出金ホッパから繰り出された硬貨を収納する硬貨出金箱と、装置外へ引き出し可能で回収すべき硬貨を集積する硬貨回収庫と、装置外へ引き出し可能に設けられ前記硬貨出金箱とは別に設置された回収返却箱を備え、
硬貨回収処理の際、前記金種別出金ホッパからの硬貨の繰り出し中に繰り出しジャムが生じたとき、前記回収一時保留部に一時保留された硬貨を回収返却箱に集積させることを特徴とする硬貨処理装置。
【請求項６】
請求項５に記載の硬貨処理装置において、
前記回収一時保留部は、周囲４面を囲うフレームとその底部を成す不動のガイドで構成し、前記フレームを前記ガイドに対して左右方向の一方へ移動させることにより硬貨を前記硬貨回収庫に落下させ、他方へ移動させることにより硬貨を前記回収返却箱に落下させることを特徴とする硬貨処理装置。
【請求項７】
請求項５または請求項６に記載の硬貨処理装置において、
前記回収一時保留部は、前記フレーム内を金種別に仕切ることにより直線上に並んだ構造に形成され、金種別に硬貨を集積可能としたことを特徴とする硬貨処理装置。
【請求項８】
請求項５〜請求項７のいずれか１項に記載の硬貨処理装置において、
前記硬貨回収庫は、金種別に硬貨を収納可能としたことを特徴とする硬貨処理装置。
【請求項９】
請求項５〜請求項８のいずれか１項に記載の硬貨処理装置において、
前記硬貨回収庫は、硬貨を金種別に集積可能な金種別回収箱を備えたことを特徴とする硬貨処理装置。
【請求項１０】
請求項５〜請求項９のいずれか１項に記載の硬貨処理装置において、
前記回収返却箱は、硬貨を金種別に集積可能な金種別返却箱を備えたことを特徴とする硬貨処理装置。
【請求項１１】
請求項５〜請求項９のいずれか１項に記載の硬貨処理装置において、
前記回収返却箱は、後ろから手前に向かって下方に傾斜したスロープを有し、前部には取り出し可能な回収返却トレイが配置されていて、前記スロープにより各金種の硬貨が前記回収返却トレイ内に集積するようにしたことを特徴とする硬貨処理装置。
【請求項１２】
投入された硬貨を１枚ずつ繰り出す硬貨繰り出し部と、
該硬貨繰り出し部により繰り出された硬貨の金種の認識及び金種が認識された硬貨の計数を行う硬貨認識部と、
該硬貨認識部でリジェクトと認識された硬貨を落下させるリジェクト口及び金種が認識されて計数された硬貨を金種別に落下させる金種別の受入口を有する選別搬送路と、
前記リジェクト口から落下した硬貨を集積するリジェクト硬貨収容部と、
前記金種別の受入口から落下した硬貨を金種別に一時保留する金種別一時保留部と、
硬貨の返却処理、計数処理、及び入金処理中にジャムが発生した際、前記金種別一時保留部に一時保留された硬貨を収納する硬貨返却箱と、
入金処理の際、前記金種別一時保留部に一時保留された硬貨を収納する金種別出金ホッパと、
出金処理の際、前記金種別出金ホッパから繰り出された硬貨を収納する硬貨出金箱と、
回収処理の際、前記金種別出金ホッパから繰り出された硬貨を金種別に一時保留する回収一時保留部と、
前記回収一時保留部に一時保留された硬貨を収納する硬貨回収庫と、
回収処理中にジャムが発生した場合、前記回収一時保留部に一時保留された硬貨を収納する、前記硬貨出金箱とは別に設置された回収返却箱を備え、
前記硬貨返却箱、前記硬貨出金箱、前記硬貨回収庫、及び前記回収返却箱を装置から引出し可能としたことを特徴とする硬貨処理装置。
【請求項１３】
請求項１２に記載の硬貨処理装置において、
前記硬貨出金箱は金種毎に硬貨を取り出すことができる金種別出金小箱を備えていることを特徴とする硬貨処理装置。
【請求項１４】
請求項１２に記載の硬貨処理装置において、
前記硬貨出金箱は特定金種の硬貨を収納する金種別出金小箱を備えていることを特徴とする硬貨処理装置。
【請求項１５】
請求項１２に記載の硬貨処理装置において、
前記硬貨出金箱は金種別大型出金箱と、金種別小型出金箱を備えていることを特徴とする硬貨処理装置。
【請求項１６】
請求項１２乃至請求項１５のいずれか１項に記載の硬貨処理装置において、
スライドレールにより装置内に出入可能な出金箱トレイを設け、この出金箱トレイに前記硬貨出金箱を着脱自在に収納可能としたことを特徴とする硬貨処理装置。
【請求項１７】
投入された硬貨を１枚ずつ繰り出す硬貨繰り出し部と、
該硬貨繰り出し部により繰り出された硬貨の金種の認識及び金種が認識された硬貨の計数を行う硬貨認識部と、
該硬貨認識部でリジェクトと認識された硬貨を落下させるリジェクト口及び金種が認識されて計数された硬貨を金種別に落下させる金種別の受入口を有する選別搬送路と、
前記リジェクト口から落下した硬貨を集積するリジェクト硬貨収容部と、
前記金種別の受入口から落下した硬貨を金種別に一時保留する金種別一時保留部と、
硬貨の返却処理、計数処理、及び入金処理中にジャムが発生した際、前記金種別一時保留部に一時保留された硬貨を収納する硬貨返却箱と、
入金処理の際、前記金種別一時保留部に一時保留された硬貨を収納する金種別出金ホッパと、
出金処理の際、前記金種別出金ホッパから繰り出された硬貨を収納する硬貨出金箱と、
回収処理の際、前記金種別出金ホッパから繰り出された硬貨を金種別に一時保留する回収一時保留部と、
前記回収一時保留部に一時保留された硬貨を収納する硬貨回収庫と、
回収処理中にジャムが発生した場合、前記回収一時保留部に一時保留された硬貨を収納する、前記硬貨返却箱とは別に設置された回収返却箱を備え、
前記硬貨返却箱、前記硬貨出金箱、前記硬貨回収庫、及び前記回収返却箱を装置から引出し可能としたことを特徴とする硬貨処理装置。
【発明の詳細な説明】
【技術分野】
【０００１】
本発明は、硬貨の入出金処理を行う硬貨処理装置に関するものである。
【背景技術】
【０００２】
商品の販売やサービスの提供を行う店舗においてはレジスターが設置され、このレジスターで商品やサービスの対価の入金やつり銭の出金が行われるが、このレジスターで取り扱われる硬貨を管理する従来の硬貨処理装置として、例えば特許文献１に示されるものがある。
この硬貨処理装置は、レジ係員の交代時等にレジ係がレジスターに残ったお金を取り出して投入した硬貨を入金して金種別に収納庫に収納し、これをリサイクルして次のレジ係の釣銭準備金として出金する機能を有している。また入金した硬貨のうち、売上分の硬貨を回収庫に回収する機能も有しており、この回収庫に回収した硬貨は金種別の収納庫内の硬貨とは別管理するものとなっている。
【先行技術文献】
【特許文献】
【０００３】
【特許文献１】特開２００４−２７２４６１号公報
【発明の概要】
【発明が解決しようとする課題】
【０００４】
しかしながら、上述した従来の硬貨処理装置では、以下の問題がある。すなわち、硬貨処理装置は硬貨の計数機能を有しており、そのため店舗の運用においては硬貨を数える目的で硬貨計数機としても利用したいという要望があるが、現状の硬貨処理装置ではそれが生かされていないという問題がある。
【０００５】
また、売上分の硬貨を回収庫に回収する処理においても、繰り出しや搬送中にジャム等発生すると、回収庫内に収納した枚数が不明になることで、発生する問題もある。例えば、回収庫内の硬貨は金種別の収納庫（金種別出金ホッパ）内の硬貨とは別管理されるものであり、一般的に装置から引き出すと回収庫のシャッタが閉まって解錠しないと硬貨が取り出せない構造であるため、精査時に現金が合わず、トラブルのもとになること等がある。特に、回収庫内の硬貨の管理を店舗側ではなく警送会社に委託している場合は、警送会社の現金センタ等に搬送され、そこで回収庫から硬貨が取り出されてから、合わないということが発覚することがある。
本発明は、このような問題を解決することを課題とする。
【課題を解決するための手段】
【０００６】
そのため、本発明の硬貨処理装置は、投入された硬貨を１枚ずつ繰り出す硬貨繰り出し部と、該硬貨繰り出し部により繰り出された硬貨の金種の認識及び金種が認識された硬貨の計数を行う硬貨認識部と、該硬貨認識部で計数された硬貨を金種別に一時保留する金種別一時保留部と、硬貨を金種別に収納する金種別出金ホッパと、前記金種別出金ホッパから繰り出された硬貨を収納する硬貨出金箱と、硬貨を金種別に集積可能で装置外に引き出し可能に設けられ前記硬貨出金箱とは別に設置された硬貨返却箱を備え、計数処理の際は、前記金種別一時保留部に一時保留された硬貨を前記硬貨返却箱に集積させ、入金処理の際は、前記金種別一時保留部に一時保留された硬貨を前記金種別出金ホッパに収納することを特徴とする。
【発明の効果】
【０００７】
このようにした本発明は、装置正面から引き出し可能な硬貨返却箱を備え、硬貨計数後に金種別一時保留部に金種別に一時保留した硬貨を硬貨返却箱に金種別に収納するようにしているため、硬貨計数機として利用できるという効果が得られる。
【図面の簡単な説明】
【０００８】
【図１】第１の実施例の内部構造を示す概略正面図
【図２】第１の実施例の内部構造を示す概略側面図
【図３】受入口の構造を示す斜視図
【図４】金種別一時保留部を示す斜視図
【図５】硬貨返却箱を示す斜視図
【図６】出金ゲートを示す側面図
【図７】硬貨出金箱を示す斜視図
【図８】回収一時保留部を示す斜視図
【図９】第２の実施例を示す要部斜視図
【図１０】第３の実施例を示す説明図
【図１１】第４の実施例における各出金箱の検知例を示す説明図
【図１２】第５の実施例を示す要部斜視図
【発明を実施するための形態】
【０００９】
以下、図面を参照して本発明による硬貨処理装置の実施例を説明する。
【実施例１】
【００１０】
図１は第１の実施例の内部構造を示す概略正面図、図２は同側面図である。本実施例の硬貨処理装置は、装置正面（前面）上部に硬貨投入部１が設けられ、この硬貨投入部１は硬貨を一括して投入できるように上面が開口している。硬貨投入部１の下方には硬貨を１枚ずつ繰り出す硬貨繰り出し部２が配置されている。
硬貨繰り出し部２の硬貨送出口は硬貨認識部３につながり、硬貨認識部３からは選別搬送路４が前後方向に伸びている。選別搬送路４には硬貨搬送方向の上流側からリジェクト口５、金種別の受入口６ａ〜６ｆが順に配置されている。
【００１１】
図３は受入口６ａの構造を示す斜視図で、受入口６ａには選別ゲート７が設けられており、図３（ａ）に示したように選別ゲート７が受入口６ａを閉じた状態にあるとき、硬貨は選別ゲート７上を通過し、図３（ｂ）に示したように選別ゲート７が受入口６ａを開放する状態に動作したときは、硬貨が受入口６ａに導かれて落下するようになっている。尚、選別ゲート７は図示しないソレノイドにより動作するものとなっている。尚、リジェクト口５、及び受入口６ｂ〜６ｆについても、同様の構造を有している。
【００１２】
リジェクト口５の下方には矢印Ｒで示したルートでリジェクトシュートが配置され、硬貨がリジェクト硬貨収容部８に導かれるようになっている。このリジェクト硬貨収容部８は装置正面に設けられていて、開閉可能な扉９を有し、扉９を開くことでリジェクト硬貨収容部８の内部にアクセスできるようになっている。
【００１３】
金種別の受入口６ａ〜６ｆの下方には矢印Ｑで示したルートで硬貨落下シュートが配置され、硬貨が金種に応じて金種別一時保留部１１ａ〜１１ｆに導かれるようになっている。図４は金種別一時保留部１１ａ〜１１ｆを示す斜視図で、この図に示したように金種別一時保留部１１ａ〜１１ｆは周囲４面を囲うフレーム内を金種別に仕切ることにより直線上に並んだ構造に形成されており、その底部を成すガイド１２に対して図示しない一時保留部移動モータにより矢印Ｈ及び矢印Ｓで示した左右方向に移動可能となっている。
【００１４】
金種別一時保留部１１ａ〜１１ｆが矢印Ｈ方向に移動した位置の下方には硬貨返却箱１３が配置されており、この硬貨返却箱１３は装置正面から装置外へ引き出し可能になっている。図５は硬貨返却箱１３を示す斜視図で、この図に示したように硬貨返却箱１３には、金種毎に硬貨を取り出すことができる金種別硬貨返却箱１４ａ〜１４ｆが直線状に並べて収納されており、この金種別硬貨返却箱１４ａ〜１４ｆは金種別一時保留部１１ａ〜１１ｆのそれぞれの底面開口部に対応している。
【００１５】
一方、金種別一時保留部１１ａ〜１１ｆが矢印Ｓ方向に移動した位置の下方には、金種別出金ホッパ１５ａ〜１５ｆが直線状に並べて配置され、この金種別出金ホッパ１５ａ〜１５ｆも金種別一時保留部１１ａ〜１１ｆのそれぞれの底面開口部に対応している。この金種別出金ホッパ１５ａ〜１５ｆには、硬貨を１枚ずつ繰り出す繰り出し手段が設けられており、その出口の先には出金先切り替え手段である出金ゲート２２が設けられている。
【００１６】
図６は出金ゲート２２を示す側面図で、出金ゲート２２は図示しないソレノイドにより動作するものとなっており、図６（ａ）に示したように出金ゲート２２が閉じた状態にあるとき、硬貨は矢印Ｔで示したように出金ゲート２２上を通過し、図６（ｂ）に示したように出金ゲート２２が開いた状態に動作したときは、硬貨が矢印Ｕで示したように出金ゲート２２の下側に導かれて落下するようになっている。
【００１７】
矢印Ｔで示したルートにはシュートが配され、そのシュートの先には硬貨出金箱１６が配置されている。図７は硬貨出金箱１６を示す斜視図で、この図に示したように硬貨出金箱１６には、金種毎に硬貨を取り出すことができる金種別出金小箱１７ａ〜１７ｆが直線状に並べて収納されており、この金種別出金小箱１７ａ〜１７ｆは矢印Ｔで示したルートに配されたそれぞれのシュートの出口に対応している。
【００１８】
一方、矢印Ｕで示したルートにもシュートが配され、そのシュートの先には回収一時保留部１８が配置されている。図８は回収一時保留部１８を示す斜視図で、この図に示したように回収一時保留部１８は周囲４面を囲うフレームにより構成され、その底部を成すガイド１９に対して図示しない回収一時保留部移動モータにより矢印Ｊ及び矢印Ｋで示した左右方向に移動可能となっている。
【００１９】
回収一時保留部１８が矢印Ｋ方向に移動した位置の下方には硬貨回収庫２０が配置されており、また回収一時保留部１８が矢印J方向に移動した位置の下方には回収返却箱２１が配置されていて、この硬貨回収庫２０及び回収返却箱２１は装置正面（前面）に設けられた扉を開いて装置内から装置外へ引き出せるようになっている。硬貨回収庫２０は装置内にあるときは、上面が開口しているが、装置から引き出すと上面を塞ぐように図示しないシャッタが閉まって解錠しないと硬貨が取り出せない構造となっている。
【００２０】
尚、回収一時保留部１８、硬貨回収庫２０、及び回収返却箱２１は、金種別一時保留部１１ａ〜１１ｆや硬貨返却箱１３等と同様に硬貨を金種別に収納できる構造であってもよい。例えば、硬貨回収庫２０は硬貨返却箱１３の金種別硬貨返却箱１４ａ〜１４ｆと同様の金種別硬貨回収箱を有する構造とし、同様に回収返却箱２１も金種別硬貨返却箱を有する構造としてもよい。
【００２１】
上述した構成による第１の実施例の作用について説明する。
尚、以下に説明する各部の動作は、図示しない記憶部に格納されたプログラム（ソフトウェア）に基づいて図示しない制御部により制御されるものとする。
まず、レジスターから運んできた硬貨の入金あるいは計数の処理について説明する。  レジ係が硬貨投入部１に硬貨を一括して投入すると、その硬貨は硬貨繰り出し部２に落下し、硬貨繰り出し部２は硬貨を１枚ずつ分離して硬貨送出口から硬貨認識部３へ繰り出す。硬貨認識部３では、図示しないセンサで検出した硬貨の特徴に基づいて、硬貨の真偽、金種等の認識が行われ、真貨で、金種が確定した硬貨の計数が行われた後、選別搬送路４に送られる。
【００２２】
選別搬送路４のリジェクト口５、金種別の受入口６ａ〜６ｆの選別ゲート７は通常閉じているが、認識の結果により開閉が制御される。例えば認識部３でリジェクトと認識された硬貨に対しては図示しないソレノイドにより選別ゲート７を開き、リジェクト口５から硬貨を矢印Ｒで示すようにシュートによりリジェクト硬貨収容部８に落下させて集積する。このリジェクト硬貨収容部８に集積されたリジェクト硬貨は扉９を開くことで、取出すことができる。また、硬貨が真貨の場合は、金種の認識結果に応じて金種別の受入口６ａ〜６ｆに対応する選別ゲート７を図示しないソレノイドにより開き、金種別に硬貨を矢印Ｑで示すようにシュートにより一時保留部１１ａ〜１１ｆに落下させてガイド１２上に集積する。
【００２３】
一時保留部１１ａ〜１１ｆのいずれかの集積量（集積枚数）が、予め定められている設定量に達するか、硬貨繰り出し部２の硬貨がなくなると、硬貨繰り出し部２の繰り出し処理を停止した後、選別搬送路４による搬送処理、硬貨認識部３による認識処理が終了してから、一旦処理を終了する。
その後、図示しない表示部に計数結果に基づく金種別の金額や合計金額等を画面表示して、レジ係に確認させ、更に現在の処理が入金の場合は画面中の操作ボタンにより収納の可否を選択入力させる。
【００２４】
ここで、収納可の入力が行われると、図示しない一時保留部移動モータにより一時保留部１１ａ〜１１ｆがガイド１２上から矢印Ｓ方向に移動し、これによりガイド１２上に集積されていた硬貨が自由落下して出金ホッパ１５ａ〜１５ｆ内に金種別に収納される。収納完了後は一時保留部移動モータの逆回転により一時保留部１１ａ〜１１ｆがガイド１２上に戻される。
【００２５】
一方、収納否つまり収納の取り消し、あるいは現在の処理が計数の場合、更には入金処理中にジャム等が生じた場合は、図示しない一時保留部移動モータにより一時保留部１１ａ〜１１ｆがガイド１２上から矢印Ｈ方向に移動し、これによりガイド１２上に集積されていた硬貨が自由落下して硬貨返却箱１３の金種別硬貨返却箱１４ａ〜１４ｆ内に金種別に収納される。収納完了後は一時保留部移動モータの逆回転により一時保留部１１ａ〜１１ｆがガイド１２上に戻される。
【００２６】
このように金種別硬貨返却箱１４ａ〜１４ｆ内に金種別に収納された硬貨は、硬貨返却箱１３を装置から引き出すことで、取出すことができる。
硬貨繰り出し部２に硬貨が残っている場合は、上記と同様の処理が繰り返される。
尚、誤操作を防止するため、入金あるいは計数処理開始時には、硬貨返却箱１３が引き出せないようにソレノイド等で電磁ロックをかけ、硬貨の取り出し時にロックを解除するようにしているが、これについては説明を省略する。
【００２７】
次に、レジスターで使用する釣銭準備金としての硬貨の出金や、両替等での硬貨の出金処理ついて説明する。まず、図示しない表示部に表示される出金画面で、金種毎の硬貨の出金枚数を指示（入力）すると、金種別出金ホッパ１５ａ〜１５ｆの出口の先に設けられている出金先切り替え手段である出金ゲート２２が硬貨を矢印Ｔのルートに案内するように切り替えられる。
【００２８】
その後、金種別出金ホッパ１５ａ〜１５ｆに設けられた図示しない繰り出し手段により該当金種の硬貨が出口から繰り出され、繰り出された硬貨は出金ゲート２２により矢印Ｔのルートでシュートを通って硬貨出金箱１６に落下して、金種別出金小箱１７ａ〜１７ｆ内に集積される。
【００２９】
このように金種別出金小箱１７ａ〜１７ｆ内に金種別に収納された硬貨は、硬貨出金箱１６を装置から引き出すことで、取出すことができる。
尚、誤操作を防止するため、出金処理開始時には、硬貨出金箱１６が引き出せないようにソレノイド等で電磁ロックをかけ、硬貨の取り出し時にロックを解除するようにしているが、これについては説明を省略する。
【００３０】
次に、金種別出金ホッパ１５ａ〜１５ｆから売上金を硬貨回収庫２０に回収したり、入金処理時にオーバーフローしそうな硬貨を硬貨回収庫２０に回収する処理について説明する。
例えば本装置に接続された上位装置から回収指示が送られてくると、金種別出金ホッパ１５ａ〜１５ｆの出口の先に設けられている出金先切り替え手段である出金ゲート２２が硬貨を矢印Ｕのルートに案内するように切り替えられる。
【００３１】
その後、金種別出金ホッパ１５ａ〜１５ｆに設けられた図示しない繰り出し手段により該当金種の硬貨が出口から繰り出され、繰り出された硬貨は出金ゲート２２により矢印Ｕのルートでシュートを通り、回収一時保留部１８に落下してガイド１９上に集積される。
回収一時保留部１８への硬貨の集積が終了すると、図示しない回収一時保留部移動モータにより回収一時保留部１８がガイド１９上から矢印Ｋ方向に移動し、これによりガイド１９上に集積されていた硬貨が自由落下して硬貨回収庫２０内に収納される。収納完了後は回収一時保留部移動モータの逆回転により回収一時保留部１８がガイド１９上に戻される。
【００３２】
このようにして硬貨回収庫２０への硬貨の回収が行われるが、この回収処理において金種別出金ホッパ１５ａ〜１５ｆから硬貨を繰り出している途中で繰り出しジャムが発生した場合は、繰り出された硬貨の枚数が不確定になる。つまり金種別出金ホッパ１５ａ〜１５ｆから硬貨を繰り出される硬貨は図示しないセンサにより１枚ずつチェックされるが、ジャムが発生すると、そのジャム処理の際、チェック前の硬貨がこぼれ落ちることがあり、それによって繰り出された硬貨の枚数が不確定になる。そのため、繰り出しジャムが発生した場合は、回収一時保留部１８内の硬貨を回収返却箱２１内に移動させて収納する。
【００３３】
この場合、まず図示しない回収一時保留部移動モータにより回収一時保留部１８をガイド１９上から矢印Ｊ方向に移動させ、これによりガイド１９上に集積されていた硬貨を自由落下させて回収返却箱２１内に収納する。収納完了後は回収一時保留部移動モータの逆回転により回収一時保留部１８がガイド１９上に戻される。
硬貨を収納した硬貨回収庫２０及び回収返却箱２１は、容量フル（満杯）になったとき、締め等の既定の時、あるいはその都度、装置正面に設けられた扉を開いて装置から取出すものとする。
【００３４】
以上説明したように第１の実施例では、装置正面から引き出し可能な硬貨返却箱１３を備え、硬貨計数後に金種別一時保留部１１ａ〜１１ｆに金種別に一時保留した硬貨を硬貨返却箱１３に金種別に収納するようにしているため、硬貨計数機として利用できるという効果が得られる。
【００３５】
また、金種別一時保留部１１ａ〜１１ｆとは別に回収一時保留部１８を設けて、金種別出金ホッパ１５ａ〜１５ｆから繰り出した回収用硬貨を回収一時保留部１８に一時保留するようにしているため、金種別出金ホッパ１５ａ〜１５ｆからの回収用硬貨の繰り出し時にジャム等が生じた場合、回収一時保留部１８に一時保留した硬貨が硬貨回収庫２０に収納されることを防ぐことができ、硬貨回収庫２０の硬貨の枚数、金額が不明になることを防止できるという効果も得られ、硬貨回収庫２０の硬貨の枚数、金額が不明になることによるトラブルも未然に防止できることになる。
更に硬貨自体の搬送は、硬貨認識部３以後の選別搬送路４のみで行い、その他は硬貨を落下させる構造を採用しているため、低コストで実現できるという利点も有する。
【実施例２】
【００３６】
次に第２の実施例について説明する。図９は本発明の第２の実施例を示す要部斜視図で、この第２の実施例は、硬貨出金箱１６をスライドレール２５により装置から引き出せるようにしたものである。スライドレール２５には硬貨出金箱１６を着脱自在に収納可能とした出金箱トレイ２４が取り付けられており、硬貨出金箱１６には取手２７が設けられている。
【００３７】
この取手２７は回転可能であり、図９（ａ）に示すように通常は倒れた状態にしてある。これにより出金箱トレイ２４に収納された硬貨出金箱１６は装置内に挿入したとき、金種別出金ホッパ１５ａ〜１５ｆから繰り出した硬貨を金種別出金小箱１７ａ〜１７ｆに収納する際に取手２７が邪魔になったり、スペース的に取手２７が支障にならないようにしている。また、図９（ｂ）に示すように装置から引き出して取手２７を起こし、その取手２７を持って硬貨出金箱１６を出金箱トレイ２４から取出すことができる。
尚、硬貨返却箱１３も同様の構造にしてもよい。
【００３８】
この他の構成は第１の実施例と同様である。
このような構成による第２の実施例では、第１の実施例と同様に金種別出金ホッパ１５ａ〜１５ｆから繰り出した硬貨を金種別出金小箱１７ａ〜１７ｆに収納される。その後、スライドレール２５により硬貨出金箱１６を出金箱トレイ２４と共に装置から引き出し、取手２７を起こして、その取手２７を持って硬貨出金箱１６を出金箱トレイ２４から取出す。そして、そのまま硬貨出金箱１６をレジスターまで運び、金種別出金小箱１７ａ〜１７ｆから硬貨を取出してレジスターに移す。
【００３９】
尚、この場合も、出金処理開始時には、硬貨出金箱１６が引き出せないようにソレノイド等で電磁ロックをかけ、硬貨出金箱１６の取り出し時にロックを解除するようにしているが、これについては説明を省略する。
また、硬貨返却箱１３を同様の構造にした場合、計数後の硬貨を収納した硬貨返却箱１３を同様にレジスターまで運んで、レジスターに移すことが可能である。
【００４０】
以上説明した第２の実施例では、以下の効果が得られる。すなわち硬貨出金箱１６は図１に示したように装置内の下部に設けられているので、硬貨出金箱１６を出金箱トレイ２４と共に装置から引き出した後に、取手２７を起こし、その取手２７を持って硬貨出金箱１６を出金箱トレイ２４から取出すことができる。そのため、硬貨出金箱１６を装置から直接引き出したり挿入したりする操作に比べて、片手での操作が可能になり、操作時にしゃがんだり、体を曲げたりすることなく操作を行うことができるので、体への負担が少なくて済み、しかも操作も容易になる等操作性が大幅に向上するという効果が得られる。
【００４１】
また、硬貨出金箱１６に取手２７を設けたことで硬貨をこぼすことなく、片手で簡単にレジスターまで運搬することができ、運搬性が向上すると共に硬貨の移し替えも容易になるという効果も得られる。
硬貨返却箱１３を同様の構造にした場合も、同様の効果が得られる。
【実施例３】
【００４２】
次に第３の実施例について説明する。図１０は本発明の第３の実施例を示す要部説明図で、第１、第２の実施例における硬貨返却箱１３や硬貨出金箱１６と入れ替え可能な返却箱や出金箱の例を示したもので、この場合、本装置による硬貨の入金あるいは出金の対象になる機器はレジスターのみでなく、自動販売機や券売機等も含まれ、その他、本装置の別の運用態様も対象とする。
【００４３】
図１０（ａ）は硬貨返却箱１３と入れ替え可能な硬貨返却箱としての一括返却箱２９の斜視図で、少数枚数入金用として使用される。この一括返却箱２９内にはスロープ３０が設けられ、このスロープ３０は後ろから手前に向かって下方に傾斜している。また、一括返却箱２９の前部には取り出し可能な一括返却トレイ３１が配置され、スロープ３０を滑り落ちる硬貨は一括返却トレイ３１内に集積するようになっている。
【００４４】
図１０（ｂ）は硬貨出金箱１６と入れ替え可能な硬貨出金箱としての一括出金箱３２の斜視図で、少数枚数出金用として使用される。この一括出金箱３２内にはスロープ３３が設けられ、このスロープ３３は後ろから手前に向かって下方に傾斜している。また、一括出金箱３２の前部には取り出し可能な一括出金トレイ３４が配置され、スロープ３３を滑り落ちる硬貨は一括出金トレイ３４内に集積するようになっている。
【００４５】
図１０（ｃ）は硬貨出金箱１６と入れ替え可能な硬貨出金箱としての２金種用出金箱３５の斜視図で、この２金種用出金箱３５内には、例えば１０円と１００円用の２つの金種別出金箱３６ａ、３６ｂが配置され、それぞれ取出し可能になっている。
【００４６】
図１０（ｄ）は２金種用出金箱３５を装置に装着した状態を示す側面図で、この図に示したように２つの金種別出金箱３６ａ、３６ｂは金種別出金ホッパ１５ａ〜１５ｆのうちの、前から２番目の金種別出金ホッパ１５ｂと、後ろから２番目の金種別出金ホッパ１５ｅから繰り出される硬貨を収納するものとなっている。
【００４７】
図１０（ｅ）は硬貨出金箱１６と入れ替え可能な硬貨出金箱としての４金種用出金箱３７の斜視図である。この４金種用出金箱３７内には、２つの金種別大型出金箱３８ａ、３８ｂと、別の２つの金種別小型出金箱３９ａ、３９ｂが配置されていて、それぞれ取出し可能になっており、ここでは、例えば使用料の多い１０円、１００円を金種別大型出金箱３８ａ、３８ｂに割り当て、５０円、５００円を金種別小型出金箱３９ａ、３９ｂに割り当てて使用するものとなっている。
この４金種用出金箱３７は２金種用出金箱３５と同様に装置に装着することで、同様に使用することが可能である。
【００４８】
このような構成による第３の実施例の作用について説明する。硬貨処理装置における返却箱や出金箱は、その業務によっては形態を変えることで利便性が向上する。例えば、本装置を金融機関や宅配便等の外交員の集金業務に使用する場合は、小額の入金や小額の出金（釣銭準備金の出金）のために、金種別にしても意味がなく、片手でつかめる程度の小さな収納箱のほうが都合がよい。
【００４９】
このような場合、第１、第２の実施例における硬貨返却箱１３や硬貨出金箱１６に代えて、事前に図１０（ａ）に示した一括返却箱２９及び図１０（ｂ）に示した一括出金箱３２を本装置に装着する。
この状態で、金種毎の硬貨の出金枚数を入力し、出金を指示すると、第１の実施例で説明した手順により金種別出金ホッパ１５ａ〜１５ｆから該当金種の硬貨が繰り出されて一括出金箱３２に落下し、落下した硬貨はスロープ３０の傾斜により前方に滑り落ちて一括出金トレイ３４に集積する。
【００５０】
その後、一括出金箱３２を少し引き出し、前部にある一括出金トレイ３４を取出して、その一括出金トレイ３４から硬貨を取出す。
入金処理時の返却の場合も、金種別一時保留部１１から各金種の硬貨が一括返却箱２９に落下すると、落下した硬貨はスロープ３３の傾斜により前方に滑り落ちて一括返却トレイ３１に集積するので、一括返却箱２９を少し引き出し、前部にある一括返却トレイ３１を取出して、その一括出金トレイ３４から硬貨を取出す。
【００５１】
一方、自動販売機や券売機等の釣銭準備金を出金する場合には、殆どの場合１円と５円は使わないが、１０円や１００円は大量に出金する場合が多い。このような場合、第１、第２の実施例における硬貨出金箱１６に代えて、事前に図１０（ｄ）に示した２金種用出金箱３５、または図１０（ｅ）に示した４金種用出金箱３７を本装置に装着する。
【００５２】
この状態で、金種毎の硬貨の出金枚数を入力し、出金を指示すると、第１の実施例で説明した手順により金種別出金ホッパ１５ａ〜１５ｆから該当金種の硬貨が繰り出されて２金種用出金箱３５内の金種別出金箱３６ａ、３６ｂ、または４金種用出金箱３７内の金種別大型出金箱３８ａ、３８ｂと金種別小型出金箱３９ａ、３９ｂに落下して集積する。
その後、２金種用出金箱３５、または４金種用出金箱３７を引き出して、金種別出金箱３６ａ、３６ｂ、または大型出金箱３８ａ、３８ｂと金種別小型出金箱３９ａ、３９ｂから硬貨を取出す。
【００５３】
以上説明した第３の実施例によれば、第１の実施例に加えて以下の効果が得られる。
まず、利用者の業態に合わせて一括返却箱２９及び一括出金箱３２を装着することで利便性が向上し、また一括返却箱２９及び一括出金箱３２は全体を装置から引き出す必要がなく、少し引き出して一括返却トレイ３１や一括出金トレイ３４を取出すことで、硬貨の取出しが行えるので、軽量で操作性が良いものになるという効果が得られる。
【００５４】
また、金種を限定した２金種用出金箱３５や４金種用出金箱３７を使うことで、大量の硬貨を一度に出金できると共に、硬貨の集積を偏らないように金種別出金ホッパ１５ａ〜１５ｆの金種の位置を考慮することで硬貨を効率的に集積できるという効果も得られる。
【００５５】
更に、４金種用出金箱３７では、用途に応じた容量を考慮し、１０円や１００円のように大量に出金する金種については他の金種より多く集積できるようにしているため、効率的なスペースの利用が可能となり、特に第２の実施例と組み合わせてスライドレール２５により出し入れできるようにすれば４金種用出金箱３７の交換を容易に行うことができ、操作性がより向上するという効果も得られる。
尚、一括出金箱３２、２金種用出金箱３５、及び４金種用出金箱３７は、硬貨出金箱１６と同様にスライドレール２５と出金箱トレイ２４により装置に対して出入させるようにしてもよい。
【実施例４】
【００５６】
次に第４の実施例について説明する。この第４の実施例は、例えば、第１、第２の実施例における硬貨出金箱１６と、第３の実施例で説明した一括出金箱３２、及び２金種用出金箱３５を併用して出金を行うものである。
【００５７】
図１１は第４の実施例における各出金箱の検知例を示す説明図で、この第４の実施例では図１１（ａ）に示すように硬貨出金箱１６の後面側に識別部材４１を設け、図１１（ｂ）に示すように一括出金箱３２の後面側に識別部材４２を設け、図１１（ｃ）に示すように２金種用出金箱３５の後面側に識別部材４１と４２を設けておく。識別部材４１と４２は上下に位置がずらしてあり、装置側には識別部材４１と４２を検知する発光素子と受光素子からなるセンサ４３と４４が、識別部材４１と４２の位置に対応させて上下２段に設けられている。図１１（ｄ）は硬貨出金箱１６と、一括出金箱３２、及び２金種用出金箱３５のいずれもが装置に装着されていない状態である。
【００５８】
本実施例ではこのような構成に加え、硬貨出金箱１６と、一括出金箱３２、及び２金種用出金箱３５に合わせて金種別出金小箱１７ａ〜１７ｆ、一括出金トレイ３４、金種別出金箱３６ａと３６ｂに対するそれぞれの硬貨の最大集積可能枚数（最大収容可能枚数）が設定されている。例えば金種別出金小箱１７ａ〜１７ｆに対しては各金種１００枚、一括出金トレイ３４に対しては各金種合計で１００枚、金種別出金箱３６ａと３６ｂに対しては１０円と１００円のみ各３００枚としている。
【００５９】
次に作用について説明すると、硬貨出金箱１６と、一括出金箱３２、及び２金種用出金箱３５のいずれかを装置に装着する。図１１（ａ）に示すように硬貨出金箱１６が装置に装着されると、識別部材４１によりセンサ４３が遮光され、センサ４４は遮光されないので、装置側では硬貨出金箱１６が装着されたと識別することができる。
【００６０】
また、図１１（ｂ）に示すように一括出金箱３２が装置に装着されると、センサ４３は遮光されず、センサ４４が識別部材４２により遮光されるので、装置側では一括出金箱３２が装着されたと識別することができる。更に図１１（ｃ）に示すように２金種用出金箱３５が装置に装着されると、識別部材４１によりセンサ４３が遮光され、識別部材４２によりセンサ４４も遮光されるので、装置側では２金種用出金箱３５が装着されたと識別することができる。
【００６１】
このように硬貨出金箱１６と、一括出金箱３２、及び２金種用出金箱３５のいずれかが装着されたことを装置側で認識できるので、それに応じて予め設定された金種毎の最大集積可能枚数に従って、金種別出金ホッパ１５ａ〜１５ｆから硬貨が繰り出され、金種別出金小箱１７ａ〜１７ｆ、一括出金トレイ３４、金種別出金箱３６ａと３６ｂに集積される。
【００６２】
この場合、硬貨出金箱１６と、一括出金箱３２、及び２金種用出金箱３５のいずれかを装着した後、図示しない表示部での出金画面で硬貨の金種、枚数を入力させ、それに従って金種別出金ホッパ１５ａ〜１５ｆから硬貨を繰り出すことも可能であるが、その際、例えば金種用出金箱３５を装着したにも拘わらず、該当金種以外の金種が指定された場合、金種の変更を求めることも可能であり、強制的に予め設定された金種毎の最大集積可能枚数に従って硬貨の繰り出しを行うことも可能である。
【００６３】
また、金種別出金ホッパ１５ａ〜１５ｆを前３個、後３個にグループ分けし、各グループの繰り出し合計枚数が金種用出金箱３５の最大集積可能枚数になるように制限したり、集金できない旨の表示を行う等、多彩な制御が可能である。
尚、４金種用出金箱３７を用いる場合も同様に出金を行うことができる。
【００６４】
また、硬貨返却箱１３と一括返却箱２９を併用する場合についても、識別部材４１、４２とセンサ４３と４４を組み合わせることで、硬貨返却箱１３と一括返却箱２９を装置側で識別することが可能となるので、識別した硬貨返却箱１３や一括返却箱２９に応じて自動的に金種別一時保留部に収容できる入金枚数を制限することも可能であり、そうすることで、一括返却箱２９が誤装着されたとき、硬貨が一括返却箱２９からあふれ出すことを防止することが可能になる。更に、この他にも、一括返却箱２９に対する一回の入金可能な枚数を金種合計で一定枚数に制限することも可能であり、そうすることによって同様に一括返却箱２９が誤装着されたとき、硬貨が一括返却箱２９からあふれ出すことを防止することが可能になる。
【００６５】
以上説明した第４の実施例によれば、第１の実施例に加えて以下の効果が得られる。まず、硬貨出金箱１６と、一括出金箱３２、及び２金種用出金箱３５のいずれかが装着されたことを装置側で認識できるようにし、かつ硬貨出金箱１６と、一括出金箱３２、及び２金種用出金箱３５に合わせて金種別出金小箱１７ａ〜１７ｆ、一括出金トレイ３４、金種別出金箱３６ａと３６ｂに対するそれぞれの硬貨の最大集積可能枚数（最大収容可能枚数）が設定されているため、出金箱の種類に従って自動的に硬貨を出金することが可能になるという効果が得られ、硬貨が出金箱からあふれ出すことも防止することができる。
【００６６】
また、３種類の出金箱に対し、２つの識別部材４１、４２と２個のセンサ４３、４４の組み合わせで、出金箱の種類を識別することができるため、装置が複雑化することなく安価に実現できると共に、出金箱の種類が３種類以上になっても、識別部材数やセンサ数をそれほど増加させなくても対応できるのでより効果は大きくなる。
【実施例５】
【００６７】
次に第５の実施例について説明する。図１２は第５の実施例を示す要部斜視図で、この実施例は、一括返却箱２９や一括出金箱３２の底面に半球状などの滑らかな形状の突起４５を設け、この一括返却箱２９や一括出金箱３２を受ける装置側のベース面４６に穴４７を設けたものである。
【００６８】
このような構成とすることにより、一括返却箱２９や一括出金箱３２を引き出す際に突起４５と穴４７が嵌合し、抜け出しによる振動が加わるようにすることで、硬貨がスロープ３０や３３に残ることなく、確実に一括返却トレイ３１や一括出金トレイ３４に集積させることができるという効果が得られる。
【符号の説明】
【００６９】
１    硬貨投入部
２    硬貨繰り出し部
３    硬貨認識部
４    選別搬送路
５    リジェクト口
６ａ〜６ｆ  受入口
７    選別ゲート
８    リジェクト硬貨収容部
９    扉
１１ａ〜１１ｆ  金種別一時保留部
１２  ガイド
１３  硬貨返却箱
１５ａ〜１５ｆ  金種別出金ホッパ
１６  硬貨出金箱
１７ａ〜１７ｆ  金種別出金小箱
１８  回収一時保留部
１９  ガイド
２０  硬貨回収庫
２１  回収返却箱
２２  出金ゲート
２４  出金箱トレイ
２５  スライドレール
２７  取手
２９  一括返却箱
３０  スロープ
３１  一括返却トレイ
３２  一括出金箱
３３  スロープ
３４  一括出金トレイ
３５  ２金種用出金箱
３６ａ、３６ｂ  金種別出金箱
３７  ４金種用出金箱
３８ａ、３８ｂ  金種別大型出金箱
３９ａ、３９ｂ  金種別小型出金箱
４１、４２  識別部材
４３、４４  センサ
４５  突起
４６  ベース面
４７  穴
【図１】
0005742485.tif 000002
【図２】
0005742485.tif 000003
【図３】
0005742485.tif 000004
【図４】
0005742485.tif 000005
【図５】
0005742485.tif 000006
【図６】
0005742485.tif 000007
【図７】
0005742485.tif 000008
【図８】
0005742485.tif 000009
【図９】
0005742485.tif 000010
【図１０】
0005742485.tif 000011
【図１１】
0005742485.tif 000012
【図１２】
0005742485.tif 000013